(57)【要約】  マーケティングキャンペーンを行なうためのサーバー（１２）であって、前記サーバー（１２）は、ソーシャルネットワークチャネルとデータ通信し、前記サーバー（１２）は、前記ソーシャルネットワークチャネル（２２）を介して、当該ソーシャルネットワークチャネル（２２）に関連付けられたソーシャルネットワークのユーザーのフォロワーに、案内を配信する、サーバー（１２）と、前記サーバー（１２）とデータ通信するサイトレットチャネル（２４）であって、前記サイトレットチャネル（２４）は動的なウェブサイト（２６）を含み、前記案内は、前記関連付けられたソーシャルネットワークの前記ユーザーのフォロワーを、前記動的なウェブサイト（２６）に誘導する、サイトレットチャネル（２４）とを含むことを特徴とするマーケティングシステム（１０）。【選択図】図１
2013511778.tif 000002
【特許請求の範囲】
【請求項１】
マーケティングキャンペーンを行なうためのサーバーであって、
前記サーバーは、ソーシャルネットワークチャネルとデータ通信し、
前記サーバーは、前記ソーシャルネットワークチャネルを介して、当該ソーシャルネットワークチャネルに関連付けられたソーシャルネットワークのユーザーのフォロワーに、案内を配信する、サーバーと、
前記サーバーとデータ通信するサイトレットチャネルであって、
前記サイトレットチャネルは動的なウェブサイトを含み、
前記案内は、前記関連付けられたソーシャルネットワークの前記ユーザーのフォロワーを、前記動的なウェブサイトに誘導する、サイトレットチャネルと
を含むことを特徴とするマーケティングシステム。
【請求項２】
前記サーバーはトランザクション処理サーバーであること
を特徴とする請求項１に記載のマーケティングシステム。
【請求項３】
前記マーケティングキャンペーンを設定するために、前記サーバーとデータ通信するユーザーインタフェースをさらに含むこと
を特徴とする請求項１に記載のマーケティングシステム。
【請求項４】
前記サーバーと前記ソーシャルネットワークチャネル間のデータ通信を容易に行なうために、アプリケーションプログラミングインタフェースをさらに含むこと
を特徴とする請求項１に記載のマーケティングシステム。
【請求項５】
前記アプリケーションプログラミングインタフェースは、ステータス／フォロワー（statuses/followers）機能、ユーザー／ショー（user/show）機能、およびダイレクトメッセージ／ニュー（direct_messages/new）機能のうち少なくとも１つの機能を含むこと
を特徴する請求項４に記載のマーケティングシステム。
【請求項６】
前記案内は、個別のＵＲＬを含むこと
を特徴とする請求項１に記載のマーケティングシステム。
【請求項７】
前記個別のＵＲＬは、前記ウェブレットチャネルの前記動的なウェブサイトを識別すること
を特徴とする請求項６に記載のマーケティングシステム。
【請求項８】
前記動的なウェブサイトは、前記関連付けられたソーシャルネットワークの前記フォロワーに関して、カスタマイズされた情報を含むこと
を特徴とする請求項１に記載のマーケティングシステム。
【請求項９】
パーソナライズされたマーケティングサイトに、ソーシャルネットワークのフォロワーに導くための方法において、
前記ソーシャルネットワークのユーザーアカウントに関連付けられたフォロワーのリストを取得するステップであって、前記前記フォロワーのリストは、該フォロワーのリストの各メンバーに関連する個人情報を含む、ステップと、
前記フォロワーのリストの少なくとも１人のメンバーに関連する個人情報に基づいて、前記少なくとも１人のメンバーに対する個別のＵＲＬを生成するステップと、
前記個別のＵＲＬを介してアクセス可能な動的なウェブサイトを生成するステップと、  前記フォロワーのリストの前記少なくとも１人のメンバーに案内を送るステップであって、前記案内には、前記フォロワーのリストの前記少なくとも１人のメンバーを前記動的なウェブサイトに導くための前記個別のＵＲＬが組み込まれている、ステップとを含むこと
を特徴とする方法。
【請求項１０】
前記動的なウェブサイトは、前記フォロワーのリストの前記少なくとも１人のメンバーに関連するカスタマイズされた情報を含むこと
を特徴とする請求項９に記載の方法。
【請求項１１】
前記個別のＵＲＬを、ユーザーと関連付けられたハイパーリンクとして、前記案内に組み込むステップを含むこと
を特徴とする請求項９に記載の方法。
【請求項１２】
前記動的なウェブサイトは、前記個別のＵＲＬを辿ることに応じて、自動的に生成されること
を特徴とする請求項９に記載の方法。
【請求項１３】
辿られる前記個別のＵＲＬに関連付けられた前記フォロワーのリストの前記少なくとも１人のメンバーに関連するカスタマイズされた情報を、前記動的なウェブサイトに含めることをさらに特徴とする請求項１２に記載の方法。
【請求項１４】
前記ソーシャルネットワークの前記ユーザーアカウントに関連付けられた前記フォロワーのリストを取得するステップよりも前に、前記ソーシャルネットワークのユーザーアカウントを認証するステップをさらに含むこと
を特徴とする請求項９に記載の方法。
【請求項１５】
パーソナライズされたマーケティングサイトに、ソーシャルネットワークのフォロワーを導くための方法において、
ａ．キャンペーンメッセージングのカスタマイゼーション、ローカライゼーションおよびパーソナライゼーションのために、複数の予め定義されたフィールドを有するキャンペーンテンプレートを含むマーケティングキャンペーンを行なうためのサーバーを提供するステップを含み、
ｂ．前記サーバーは、ソーシャルネットワークのユーザーアカウントに関連付けられたフォロワーのリストを取得し、前記フォロワーのリストは、それぞれのフォロワーに関連付けられた個人情報を含むものであり、
ｃ．前記サーバーは、前記フォロワーに関連付けられた前記個人情報に基づいて、前記フォロワーのリストから、前記フォロワーに対する個別のＵＲＬを生成し、
ｄ．前記サーバーは、パーソナライズされた案内を前記フォロワーに送り、前記案内には、前記フォロワーに対する個別のＵＲＬが組み込まれ、
ｅ．前記サーバーは、前記個別のＵＲＬを介してアクセス可能な動的なウェブサイトを生成すること
を特徴とする方法。
【請求項１６】
前記動的なウェブサイトは前記フォロワーに関連するカスタマイズされた情報を含むここと
を特徴とする請求項１５に記載の方法。
【請求項１７】
前記個別のＵＲＬは、ユーザーと関連付けられたハイパーリンクとして、前記案内に組み込まれること
を特徴とする請求項１５に記載の方法。
【請求項１８】
前記動的なウェブサイトは、前記個別のＵＲＬを辿ることに応じて、自動的に生成されること
を特徴とする請求項１５に記載の方法。
【請求項１９】
前記動的なウェブサイトは、辿られる前記個別のＵＲＬに関連付けられた前記フォロワーに関連するカスタマイズされた情報を含むこと
を特徴とする請求項１８に記載の方法。
【請求項２０】
前記ソーシャルネットワークの前記ユーザーアカウントに関連付けられたフォロワーのリストを取得するステップの前に、前記ソーシャルネットワークの前記ユーザーアカウントを認証するステップをさらに含むこと
を特徴とする請求項１５に記載の方法。
【発明の詳細な説明】
【技術分野】
【０００１】
［関連出願の相互参照］
本件出願は、米国仮特許出願第６１／２６３１４８号（２００９年１１月２０日出願）の利益を主張する。
【０００２】
本発明は、一般的にマーケティングネットワーク（販売網）に関するものである。特に、本発明は、マルチフルフィルメントチャネルを有する個人向けマーケティングシステムおよびソーシャルネットワークのメンバーに対するパーソナライズされた案内（個別の案内）を出すための方法を対象にする。
【背景技術】
【０００３】
広告計画は、典型的に、製品および／またはサービスを、ある地方で、全国であるいはその両方で宣伝広告することを望むクライアントの代理として広告代理店によって創られる。広告代理店は、“アセット”（利用される広告材料）と、メディアを用いたプレイスメントを制御する。典型的に、広告代理店は、クライアントの製品および／またはサービスを、例えば、活字メディアや放送メディアなどの複数のチャネルを通じて宣伝する。しかしながら、ソーシャルメディアネットワークは、マーケティングキャンペーンの適用範囲について新たな方法を可能にする新たに出現した情報源ともいえる。例えば、ツイッター（Twitter（Ｒ））  ソーシャルメディアネットワークのツイッターは、現在、１億５００万人以上の登録ユーザーを有し、毎日、３０万人の新たなユーザーがサインアップする（http://www.pcadvisor.co.uk/news/index.cfm?newsid=3220448 および http://www.reuters.com/article/idUSTRE63D46P20100415）。
【先行技術文献】
【非特許文献】
【０００４】
【非特許文献１】"Twitter users now exceed 100 million", [平成24年5月30日検索], インターネット<URL http://www.pcadvisor.co.uk/news/index.cfm?newsid=3220448>
【非特許文献２】"Twitter snags over 100 million users, eyes money-making", [平成24年5月30日検索], インターネット<http://www.reuters.com/article/idUSTRE63D46P20100415>
【発明の概要】
【発明が解決しようとする課題】
【０００５】
ソーシャルネットワークチャネルを含むマルチフルフィルメントチャネルを有するマーケティングシステム、および、マーケティングサイトにソーシャルネットワークユーザーのフォロワーに案内を送るための方法を、開発することが望ましい。当該マーケティングシステム及び方法は、マーケティングキャンペーンのメディアの報道量を最大にするために、マーケティングシステムにおけるフルフィルメントチャネルとして、ツイッターなどのようなソーシャルネットワークを含む。
【課題を解決するための手段】
【０００６】
本発明と一致および適合する、ソーシャルネットワークチャネルを含むマルチフルフィルメントチャネルを有するマーケティングシステム、および、マーケティングサイトにソーシャルネットワークユーザーのフォロワーを案内するための方法（ただし、当該マーケティングシステムおよび方法は、マーケティングキャンペーンのメディアの報道量を最大にするために、マーケティングシステムにおけるフルフィルメントチャネルとして、ツイッターなどのようなソーシャルネットワークを含む。）は、驚いたことは見出されている。
【０００７】
本発明のマーケティングシステムおよび方法は、パーソナライズされた手法でソーシャルネットワークの個々のメンバーに届けるための効率的な一対多の招待案内手段を提供する。それによって、パーソナライズされた一対一ダイアログ（パーソナライズされたマーケティングウェブサイトまたはサイトレット（sitelet））で、各応答者の取り決めを有効にする。
【０００８】
１つの実施形態では、マーケティングシステムは、マーケティングキャンペーンを行なう（主催する）ためのサーバーと、前記サーバーとデータ通信するソーシャルネットワークチャネルとを含み、前記サーバーは、案内を、前記ソーシャルネットワークチャネルを介して、関連付けられたソーシャルネットワークのユーザーのフォロワーに配信し、前記マーケティングシステムは、前記サーバーとデータ通信するサイトレットチャネルを含み、前記サイトレットチャネルは動的なウェブサイトを含み、前記案内は、前記関連付けられたソーシャルネットワークの前記ユーザーの前記フォロワーを、前記動的なウェブサイトに誘導する。
【０００９】
また、本発明は、ソーシャルネットワークユーザーフォロワーを、パーソナライズされたマーケティングサイトに誘導するための方法も提供する。
【００１０】
１つの方法は、ソーシャルネットワークのユーザーアカウントに関連付けられたフォロワーのリストを取得するステップであって、前記前記フォロワーのリストは、該フォロワーのリストの各メンバーに関連する個人情報を含む、ステップと、前記フォロワーのリストの少なくとも１人のメンバーに関連する個人情報に基づいて、個別の（パーソナライズされた）ＵＲＬを生成するステップと、前記個別のＵＲＬを介してアクセス可能な動的なウェブサイトを生成するステップと、前記フォロワーのリストの前記少なくとも１人に案内を送るステップとを含み、前記案内は、前記フォロワーのリストの前記少なくとも１人のメンバーを、前記動的なウェブサイトに導くために前記個別のＵＲＬが組み込まれる。
【００１１】
別の方法は、
ａ．キャンペーンメッセージングのカスタマイゼーション、ローカライゼーションおよびパーソナライゼーションのために、複数の予め定義されたフィールドを有するキャンペーンテンプレートを含むマーケティングキャンペーンを行なうためのサーバーを提供するステップを含み、
ｂ．前記サーバーは、ユーザーアカウントに関連付けられたフォロワーのリストを取得し、前記フォロワーのリストは、それぞれのフォロワーに関連付けられた個人情報を含むものであり、
ｃ．前記サーバーは、前記フォロワーのそれぞれに関連付けられた前記個人情報に基づいて、前記フォロワーのリストの各メンバーに対して、個別のＵＲＬを生成し、
ｄ．前記サーバーは、パーソナライズされた案内を前記フォロワーのリストの各メンバーに送り、前記案内のそれぞれは、前記フォロワーのリストの各メンバーに対する個別のＵＲＬが組み込まれ、
ｅ．前記サーバーは、前記個別のＵＲＬを介してアクセス可能な動的なウェブサイトを生成する。
【００１２】
上記およびその他の本発明の利点は、添付の図面を考慮し、好ましい実施形態の詳細な説明から、当該分野に属する当業者にとって容易に明らかである。
【図面の簡単な説明】
【００１３】
【図１】図１は、本発明の実施形態によるマーケティングシステムの略図のブロック図である。
【図２】図２は、本発明の実施形態による、パーソナライズされたマーケティングサイトに、ソーシャルネットワークのフォロワーを誘導するための方法の略図のフロー図である。
【発明を実施するための形態】
【００１４】
以下の詳細な説明および添付の図面は、本発明の様々な実施形態を説明および図示する。当該説明および図面は、当業者が本発明の製造および使用等を可能にするためのものであり、いかなる方法によっても、本発明の範囲を制限することを意図していない。開示された本方法に関して、示された複数のステップは、本質的には模範的なものであり、それらステップの順序は、必須または重要なものではない。
【００１５】
図１を参照すると、本発明の実施形態によるマーケティングシステム１０が図示される。図のように、マーケティングシステム１０は、行なわれたマーケティングキャンペーンに対して、様々なメディアアウトレットを提供するために、複数のフルフィルメントチャネル１４とデータ通信するトランザクション処理サーバー（ＴＯＳ）１２を含む。ＴＯＳ１２は、任意のプラットフォームを使用した任意のサーバーであり、Ad Giants有限責任会社（LLC）によって提供され、ウェブサイト  http://www.adgiants.com  に記載された ONE System（Ｒ） または MODsocket（Ｒ） も含み得る。さらに、いくつかのフルフィルチャネル１４は、例えば、活字チャネル１６、Ｅメールチャネル１８および放送チャネル２０を含むことができる。従って、マーケティングキャンペーンは、例えば、活字メディア、Ｅメールおよびテレビ／ラジオ放送を含む様々なキャンペーン戦略を含むことができる。マーケティングキャンペーンを実現するために、その他のメディアおよび手段も用いることができる。ある実施形態では、ユーザーインタフェース２１は、マーケティングキャンペーンを設定するために、ＴＯＳ１２とデータ通信する。
【００１６】
図示されている実施形態において、フルフィルメントチャネル１４は、ソーシャルネットワークチャネル２２（例えば、ツイッターフルフィルメントチャネル）およびサイトレットチャネル２４を含む。非限定的な例ではあるが、以下の説明は、Twitter（Ｒ） ソーシャルネットワークに限定している。しかしながら、その他のソーシャルネットワークも、同様にマーケティングシステム１０に含まれ得る。
【００１７】
ソーシャルネットワークチャネル２２は、ＴＯＳ１２またはその他のデータ管理サーバーとデータ通信する。特に、ＴＯＳ１２または適切なソフトウェアは、Twitter（Ｒ） ソーシャルメディアネットワークなどのソーシャルネットワークと関連するユーザーネームおよびパスワードフィールドを含む。非限定的な例として、ユーザーネームおよびパスワードフィールドは、データベース（図示せず）に保存されたユーザープロフィールに対応させることができる。さらに、非限定的な例として、ユーザーネームおよびパスワードフィールドは、関連しているマーケティングキャンペーンを策定するのに用いられる予め定義されたデータテンプレートの必須フィールドとして含まれ得る。従って、ＴＯＳ１２は、図示および以下に詳細に説明されるワークフローに対応するために、キャンペーンビジネスロジックを含む。
【００１８】
非限定的な例として、ＴＯＳ１２とソーシャルネットワークチャネル２２との間のデータ通信は、関連しているソーシャルネットワーク（例えば、Twitter（Ｒ） ソーシャルメディアネットワーク）に対する、複数のアプリケーションプログラミングインタフェース（ＡＰＩ）機能２５（例えば、コマンド、クエリなど）を含む。非限定的な例として、ＡＰＩ機能２５は、次のものを含む：
１）ステータス／フォロワー（statuses/followers）：認証ユーザーに関連付けられたフォロワーのリストを返す。該リストは、それぞれのフォロワーに関連付けられた現在のステータス情報を含む；
２）ユーザー／ショー（users/show）：必須の識別パラメータに従って、識別フィールドまたはスクリーンネームによって特定される、所与のユーザーの拡張された情報（例えば、ユーザーネーム、名、姓、位置、あるいは、その他の識別パラメータ）を返す；
３）ダイレクトメッセージ／ニュー(direct_messages/new)：認証ユーザーから特定されたユーザーに新たなダイレクトメッセージを送信する。
【００１９】
しかしながら、その他のソーシャルネットワークや次のバージョンのツイッターＡＰＩとインタラクションするための同等の機能は、当業者にとって明らかなように、利用することができる。
【００２０】
サイトレットチャネル２４は、（サイトレットと呼ばれる）複数の動的なウェブサイト２６を含む。動的なウェブサイト２６（すなわち、サイトレット）は、対象とする閲覧者に関連する情報に基づいて、動的にカスタマイズまたはパーソナライズされる。それぞれの動的なウェブサイト２６には、個別のＵＲＬ２８（すなわち、ＰＵＲＬまたはＴｗＵＲＬ）に従ってアクセスすることができ、当該個別のＵＲＬ２８は、対象となる閲覧者に関連する情報に基づいて生成される。非限定的な例として、ジョン・ドウ（John Doe）が動的なウェブサイト２６の対象とする閲覧者である場合、ＴＯＳ１２から抽出された（または、関連するデータベースに格納された）、ジョン・ドウに関連する情報が用いられ、ジョン・ドウにパーソナライズされたＵＲＬ（例えば、http://www.marketingcampaign.com/John-Doe）を有するパーソナライズされたウェブサイトが動的に生成される。さらに、非限定的な例として、動的なウェブサイト２６は、好み、地理的位置、背景情報、人口統計などを含む、対象となるユーザーに関連する任意の情報を用いてパーソナライズされ得る。しかしながら、その他の任意の情報も、動的なウェブサイト２６をパーソナライズするために用いられ得る。
【００２１】
図２は、ソーシャルネットワークのフォロワーをマーケティングサイトに誘導するための方法１００（すなわち、ワークフロー）を図示する。本方法は、任意のソーシャルネットワーク（例えば、Twitter（Ｒ） ソーシャルネットワークなど）に適用することができる。
【００２２】
ステップ１０２では、ユーザーが、既存の“キャンペーンテンプレート”または“ネットワークテンプレート”を用いて、“ソーシャルネットワークキャンペーン”（例えば、Twitter（Ｒ） ソーシャルネットワークキャンペーン）を選択、カスタマイズおよび命令する。当該テンプレートは、キャンペーンメッセージングのカスタマイゼーション、ローカリゼーションおよびパーソナライゼーションのための複数の予め定義されたフィールドを有する。その他の任意のフィールドを有する任意のテンプレートも、マーケティングキャンペーン、ユーザーおよびユーザーのフォロワーに関連する任意の情報を定義するために用いられ得る。さらに、マーケティングキャンペーン、ユーザーおよびユーザーのフォロワーに関連する情報を収集および配信する、その他の手段が利用され得ることは言うまでもない。
【００２３】
ステップ１０４では、ＴＯＳ１２が、ソーシャルネットワーク（例えば、Twitter（Ｒ） ソーシャルネットワーク）に関連付けられたユーザーアカウントを認証する。非限定的な例として、シンプルなＡＰＩクエリ（例えば、ユーザー／ショー（users/show）クエリ）が、ユーザーアカウントを認証するために利用され得る。
【００２４】
ステップ１０６では、ＴＯＳ１２が、ユーザーアカウントに関連付けられたフォロワーのリストを取得する。非限定的な例として、ＡＰＩクエリ（例えば、ステータス／フォロワー（statuses/followers）クエリ）が、フォロワーのリストを取得するために用いられ得る。さらに、非限定的な例として、ソーシャルネットワークのユーザーアカウントに関連付けられたユーザーネームとパスワードが認証された場合のみ、ＴＯＳ１２がフォロワーのリストを取得する。
【００２５】
ステップ１０８では、ＴＯＳ１２が、ソーシャルネットワークキャンペーンのための“ターゲットリスト”として、取得したフォロワーのリストまたは配列を利用する。非限定的な例として、ＴＯＳ１２は、フォロワーのリストの各メンバーに関連する、拡張されたユーザー情報（例えば、名、姓）を取得するために、ユーザー／ショー（users/show）ＡＰＩクエリを実行する。さらに、非限定的な例として、ＴＯＳ１２は、フォロワーのリストの各メンバーに対する個別のＵＲＬ（すなわち、ＰＵＲＬまたはＴｗＵＲＬ）を生成するために、フォロワーのリストの各メンバーに関連する拡張された情報を利用することができる。
【００２６】
ステップ１１０では、ＴＯＳ１２が、個々のパーソナライズされた案内を、フォロワーのリスト（すなわち、ターゲットリスト）の各メンバーに送信することによって、ソーシャルネットワークキャンペーンを開始する。それぞれの案内は、案内の対象となった受取人（すなわち、フォロワーリストのメンバー）に対して、パーソナライズされた個別のＵＲＬ２８が組み込まれている。非限定的な例として、案内はダイレクトメッセージ／ニュー（direct_messages/new）ＡＰＩコマンドを用いて配信され得る。さらに、非限定的な例として、個別のＵＲＬ２８は、ユーザーと関連付けられたハイパーリンクとして、それぞれの案内に組み込まれる。案内を配信するその他の手段も利用できることは言うまでもない。さらに、個別のＵＲＬ２８のうちどれかを辿るその他の手段も利用され得る。
【００２７】
ステップ１１２では、ＴＯＳ１２が、パーソナライズされた動的なウェブサイト２６（すなわち、サイトレット）を生成する。非限定的な例として、パーソナライズされた動的なウェブサイト２６は、個別のＵＲＬ２８のうち関連する１つのものを介してアクセス可能である。さらに、非限定的な例として、それぞれのパーソナライズされた動的なウェブサイト２６は、フォロワーのリストの各メンバー向けに、カスタマイズ、ローカライズおよびパーソナライズされる。ある実施形態では、ＴＯＳ１２によって生成された、パーソナライズされた動的ウェブサイト２６のそれぞれは、キャンペーンテンプレートに基づいてカスタマイズされた情報を含む。ある実施形態では、それぞれの動的ウェブサイト２６は、個別のＵＲＬ２８のうち１つを辿ることに応じて、自動的に生成される。例えば、““http://www.marketingcampaign.com/John-Doe”を辿ると、１つの動的なウェブサイト２８が生成され、ジョン・ドウ（John Doe）に関連する情報を用いてカスタマイズされる。しかしながら、個別のＵＲＬ２８のうちどれかが、動的なウェブサイト２６のいずれかにリンクされ得ることは言うまでもない。さらに、当然のことながら、動的なウェブサイト２６は、（カスタマイズされた、または、標準的な）任意の情報を含むことができる。
【００２８】
使用中、ソーシャルネットワークコンポーネント（例えば、Twitter（Ｒ） システムおよび Twitter（Ｒ） クライアント）は、例えば、通常の方法でツイート（Tweets（Ｒ））を配信および表示する、それらそれぞれの機能を実行し続ける。ソーシャルネットワークキャンペーンに端を発するユーザー（すなわち、ユーザーアカウント）のフォロワーは、上述のように、ソーシャルネットワークキャンペーンに端を発するユーザーから、ウェブハイパーリンク（例えば、個別のＵＲＬ２８）を含む標準的なダイレクト（個人的な）メッセージ（すなわち、案内招待）を受信する。個別のＵＲＬ２８に従って応答することを選択するフォロワーは、動的なウェブサイト２６（すなわち、サイトレット）に導かれる。
【００２９】
ソーシャルネットワークのフォロワーをマーケティングサイトレットに導くためのマーケティングシステム１０および方法１００は、パーソナライズされた環境において、ソーシャルネットワークユーザーおよびフォロワーを結びつけるための手段を広告主に提供する。マーケティングシステム１０のユーザーは、該ユーザーのソーシャルネットワークにおいて、対象となる受取人（フォロワー）に送信される（すなわち、一対多の配信）前に、ＴＯＳ１２によってパーソナライズされた１つだけの案内を生成することができる。フォロワーの１人が案内に応答した時点で、当該フォロワーを唯一のパーソナライズされたマーケティング環境に没頭させるために、パーソナライズされたマーケティングサイトレットが動的に生成される。
【００３０】
上述の説明から、当業者であれば本発明の本質的特徴を容易に見極めることができ、その精神と本質的特徴から逸脱することなく、本発明を様々な用途や条件に適応させるために、本発明にさまざまな変更および改良を施すことができる。
【図１】
2013511778.tif 000003
【図２】
2013511778.tif 000004
【国際調査報告】
2013511778.tif 000005